(57)【要約】【課題】比較的狭い限られたスペースに多数のドラムを収容して、それぞれのドラムから随時ケーブルを安全に延線できるようにすることにある。【解決手段】少なくとも上下二段の段を持つラック１と、前記ラックの各段に設けられ、ドラムに巻かれたケーブルを延線するためにそのドラムを回動可能に支持する互いに平行な二本の支持ローラからなる支持ローラ対２と、前記ラックの少なくとも二段目以上の前記段に設けられ、前記支持ローラ対上の前記ドラムの横ずれを規制する横ずれ防止ローラ４と、を具えてなるケーブルドラムラックである。【選択図】図１
0003128070.tif 000002
【実用新案登録請求の範囲】
【請求項１】
少なくとも上下二段の段を持つラックと、
前記ラックの各段に設けられ、ドラムに巻かれたケーブルを延線するためにそのドラムを回動可能に支持する互いに平行な二本の支持ローラからなる支持ローラ対と、
前記ラックの少なくとも二段目以上の前記段に設けられ、前記支持ローラ対上の前記ドラムの横ずれを規制する横ずれ防止ローラと、
を具えてなる、ケーブルドラムラック。
【請求項２】
前記ラックの少なくとも二段目以上の前記段に着脱可能に設けられ、前記支持ローラ対の支持ローラを乗り越えて前記ドラムが落下するのを防止する落下防止枠を具える、請求項１記載のケーブルドラムラック。
【請求項３】
前記ラックの二段目以上の前記段に着脱可能に設けられるスロープ部材を具える、請求項１または２記載のケーブルドラムラック。
【考案の詳細な説明】
【技術分野】
【０００１】
この考案は、ドラムに巻かれたケーブルを延線するためにそのドラムを回動可能に支持する互いに平行な二本の支持ローラからなる支持ローラ対を具えるケーブルドラムラックに関するものである。
【背景技術】
【０００２】
ドラムに巻かれたケーブルを延線するためにそのドラムを回動可能に支持する互いに平行な二本の支持ローラからなる支持ローラ対を具える器具としては従来、例えばドラムローラが知られており、このドラムローラは、支持ローラ対を左右二対具え、ドラム幅に応じてその二対の支持ローラの間隔を変えるように構成されている（非特許文献１参照）。
【非特許文献１】http://www.koeishoji.co.jp/frd.htm
【考案の開示】
【考案が解決しようとする課題】
【０００３】
しかしながら、上記従来のドラムローラは、地面あるいは床に置いて使用するものであるためドラム一個について一台分の場所を占有してしまい、それゆえ、比較的狭い限られたスペースに多数のドラムを収容して、それぞれのドラムから随時ケーブルを延線するというようには使用できないという問題があった。
【０００４】
そこで上記のような場合に、上下に複数段あるラックにそれぞれ上記従来のドラムローラを搭載することも考えられるが、その場合には上の段のドラムからのケーブルの延線中に、ドラムの横ずれによりドラムの向きが曲がってドラムが支持ローラ上で回転しなくなり、支持ローラを乗り越えて落下する可能性が考えられ、それを防止する必要がある。
【課題を解決するための手段】
【０００５】
この考案は、上記課題を有利に解決することを目的とするものであり、この考案のケーブルドラムラックは、少なくとも上下二段の段を持つラックと、前記ラックの各段に設けられ、ドラムに巻かれたケーブルを延線するためにそのドラムを回動可能に支持する互いに平行な二本の支持ローラからなる支持ローラ対と、前記ラックの少なくとも二段目以上の前記段に設けられ、前記支持ローラ対上の前記ドラムの横ずれを規制する横ずれ防止ローラと、を具えてなるものである。
【考案の効果】
【０００６】
かかるこの考案のケーブルドラムラックによれば、少なくとも上下二段の段を持つラックの各段に、ドラムに巻かれたケーブルを延線するためにそのドラムを回動可能に支持する二本の支持ローラからなる支持ローラ対が少なくとも一対設けられているので、比較的狭い限られたスペースに多数のドラムを収容して、それぞれのドラムから随時ケーブルを延線することができる。
【０００７】
しかもこの考案のケーブルドラムラックによれば、ラックの少なくとも二段目以上の段に（好ましくは一段目の段にも）、支持ローラ対上のドラムの横ずれを規制する横ずれ防止ローラが設けられているので、ドラムからのケーブルの延線中に、ドラムの横ずれによりドラムの向きが曲がってドラムが回転しなくなるのを防止し得て、ドラムが支持ローラを乗り越えて落下するのを防止することができる。
【０００８】
なお、この考案のケーブルドラムラックにおいては、前記ラックの少なくとも二段目以上の前記段に（好ましくは一段目の段にも）着脱可能に設けられ、前記支持ローラ対の支持ローラを乗り越えて前記ドラムが落下するのを防止する落下防止枠を具えていても良く、このようにすれば、例えドラムが、例えばケーブルの重なり等横ずれ以外の原因で支持ローラ対上で回動しなくなって支持ローラを乗り越えようとしても、落下防止枠がその乗り越えを防止するので、より確実にドラムの落下を防止することができる。
【０００９】
また、この考案のケーブルドラムラックにおいては、前記ラックの二段目以上の前記段に着脱可能に設けられるスロープ部材を具えていても良く、このようにすれば、各段に対するドラムの上げ下ろしを容易にし得て、作業性を高めることができる。
【考案を実施するための最良の形態】
【００１０】
以下、本考案の実施の形態を実施例によって、図面に基づき詳細に説明する。ここに、図１（ａ），（ｂ）は、この考案のケーブルドラムラックの一実施例を示す平面図および正面図、図２（ａ），（ｂ）は、上記実施例のケーブルドラムラックの、図１（ｂ）中のＡ−Ａ線に沿う縦断面図およびＢ−Ｂ線に沿う横断面図、図３は上記実施例のケーブルドラムラックの使用状態を示す説明図であり、図中符号１は上記実施例のケーブルドラムラックのラックを示す。
【００１１】
ここにおけるラック１は、角パイプを枠状に配置して溶接で組み立てたもので、上下二段および左右二段の、合計四つの段を有しており、このラック１の、図１（ａ）では下方に向く正面側では、下段の左右の段に対応する最下部の横枠が省かれるとともに、上段の左右の段に対応する最上部の横枠１ａが、その両端部をここでは上方及び互いに対向する方向に開いたコ字状の受け部１ｂに嵌着されて、ドラムＤの搭載時には外しておく着脱可能な落下防止枠とされている。
【００１２】
このラック１の各段には、ドラムに巻かれたケーブルを延線するために、図２（ａ）に示すように、ドラムＤを回動可能に支持する互いに平行な二本の支持ローラ２ａからなる支持ローラ対２が設けられ、それらの支持ローラ対２の各支持ローラ２ａは、シャフト３によって回動自在にラック１に水平に支持されて、正面側から見て左右方向（図１の左右方向）へ延在している。
【００１３】
さらにラック１の各段には、左右方向に互いに対向する、ここではフリ−ベアローラからなる横ずれ防止ローラ４が、左右二個ずつ固定されて設けられており、それらの横ずれ防止ローラ４は、図２（ａ）に示すように、支持ローラ対２上のドラムＤの円板状の側板に当接してそのドラムＤの横ずれを規制する。
【００１４】
さらに、この実施例のケーブルドラムラックは、ラック１の正面側の下端部に、ラック１の下段の左右の段に対応する縞鋼板５を固定されて設けられるとともに、ラック１の正面側の上部の横枠に掛けられる梯子状の、スロープ部材としての傾斜路６を、上段に対してドラムＤを上げ下ろしする時は使用でき、他の場合は邪魔にならないよう外しておけるように着脱可能に具えており、その傾斜路６の長手方向に延在する左右の部材は、上方に開いたコ字状をなしていて、ドラムＤの昇降を案内する。
【００１５】
かかる実施例のケーブルドラムラックによれば、図３に示すように、上下二段、左右二段の合計四つの段を持つラック１の各段に、ドラムＤに巻かれたケーブルを延線するためにそのドラムＤを回動可能に支持する二本の支持ローラ２ａからなる支持ローラ対２が一対設けられているので、比較的狭い限られたスペースに四つのドラムＤを収容して、それぞれのドラムＤから随時ケーブルを延線することができる。
【００１６】
しかもこの実施例のケーブルドラムラックによれば、ラック１の上下の各段に、支持ローラ対２上のドラムＤの横ずれを規制する横ずれ防止ローラ４が設けられているので、ドラムＤからのケーブルの延線中に、ドラムＤの横ずれによりドラムＤの向きが曲がってドラムＤが回転しなくなるのを防止し得て、ドラムＤが支持ローラ２ａを乗り越えて落下するのを防止することができる。
【００１７】
さらにこの実施例のケーブルドラムラックによれば、ラック１の上段に着脱可能に設けられ、支持ローラ対２の支持ローラ２ａを乗り越えてドラムＤが落下するのを防止する横枠１ａを具えていることから、例えドラムＤが、例えばケーブルの重なり等横ずれ以外の原因で支持ローラ対２上で回動しなくなって支持ローラ２ａを乗り越えようとしても、横枠１ａがその乗り越えを防止するので、より確実にドラムＤの落下を防止することができる。
【００１８】
さらにこの実施例のケーブルドラムラックによれば、ラック１の上段に着脱可能に設けられる傾斜路６を具えていることから、各段に対するドラムＤの上げ下ろしを容易にし得て、作業性を高めることができる。
【００１９】
以上、図示例に基づき説明したが、この考案は上述の例に限定されるものでなく、例えばラックの段は、上下に三段以上あっても、また左右に三段以上あっても良い。またローラ対は、ドラムの円板状の各側板を支持するようにラックの各段に左右二対ずつ設けても良い。
【産業上の利用可能性】
【００２０】
かくしてこの考案のケーブルドラムラックによれば、少なくとも上下二段の段を持つラックの各段に、ドラムに巻かれたケーブルを延線するためにそのドラムを回動可能に支持する二本の支持ローラからなる支持ローラ対が少なくとも一対設けられているので、比較的狭い限られたスペースに多数のドラムを収容して、それぞれのドラムから随時ケーブルを延線することができる。
【００２１】
しかもこの考案のケーブルドラムラックによれば、ラックの少なくとも二段目以上の段に支持ローラ対上のドラムの横ずれを規制する横ずれ防止ローラが設けられているので、ドラムからのケーブルの延線中に、ドラムの横ずれによりドラムの向きが曲がってドラムが回転しなくなるのを防止し得て、ドラムが支持ローラを乗り越えて落下するのを防止することができる。
【図面の簡単な説明】
【００２２】
【図１】（ａ），（ｂ）は、この考案のケーブルドラムラックの一実施例を示す平面図および正面図である。
【図２】（ａ），（ｂ）は、上記実施例のケーブルドラムラックの、図１（ｂ）中のＡ−Ａ線に沿う縦断面図およびＢ−Ｂ線に沿う横断面図である。
【図３】上記実施例のケーブルドラムラックの使用状態を示す説明図である。
【符号の説明】
【００２３】
１  ラック
１ａ  横枠
１ｂ  受け部
２  支持ローラ対
２ａ  支持ローラ
３  シャフト
４  横ずれ防止ローラ
５  縞鋼板
６  傾斜路
Ｄ  ドラム
【図１】
0003128070.tif 000003
【図２】
0003128070.tif 000004
【図３】
0003128070.tif 000005